(57)【要約】      （修正有）【課題】ハードケースに装着することの出来る携帯用ベルトで、ハードケースは荷物の多い時など、各自の好きな形態で快適に持ち運べるようにすることを目的とし、簡単に脱着出来、コンパクトで安全に使用することが出来る携帯用ベルトを提供する。【解決手段】携帯用ベルトの形態は布などで出来たヒモ状のパーツを組み合わせたもので、ハードケース本体にマジックテープやゴムなどで３ケ所を固定し、安定して持ち運び出来る。また、長さ調節の部分を設けることによりさまざまな持ち運び方を選ぶことが出来る。【選択図】図４
0003171428.tif 000002
【実用新案登録請求の範囲】
【請求項１】
ハードケースに簡単に脱着でき、ハードケース本体をバランス良く持ち運びできるハードケース携帯用ベルト
【請求項２】
持ち手部分に長さを調節出来るパーツを取り付けることで、さまざまな持ち方が可能なハードケース携帯用ベルト
【請求項３】
ハードケースの取っ手を、マジックテープなどの、取り外しが容易で、しかも安全な素材で固定し、低年齢でもしっかりと装着し安全に使用できるハードケース携帯用ベルト
【請求項４】
ハードケース本体を、取り外しが容易で、しかも安全な伸縮自在のゴムなどで固定することにより、低年齢でもしっかりと装着し、より一層安全に使用でき、さまざまな形のハードケースに対応できるハードケース携帯用ベルト
【考案の詳細な説明】
【技術分野】
【０００１】本考案は鍵盤ハーモニカなどが入ったハードケース（以下、ハードケースと称す）を持ち運びする時に、ハードケースに装着することにより、自在に持ち運びできるハードケース携帯用ベルト（以下、携帯用ベルトと称す）に関するものである。
【背景技術】
【０００２】ハードケースを収納することのできる手提げソフトケースは周知である。
【考案の概要】
【考案が解決しようとする課題】
【０００３】従来からハードケースを収納するソフトケースが既製品としてあるが、手にぶら下げて持たなくてはならず、特に携帯物がある場合は非常に持ち運びにくいものであり低年齢の子供には大きな負担となっている。本考案は手を用いることなく、たすき掛けや、肩にかけることによって、従来の様な負荷を子供に強いることなく、かつ、ハードケースに簡単に着脱でき、肩からの長さも調節可能で、ハードケースをバランス良く安全に運ぶことができる携帯用ベルトを提供するものである。さらに不使用時は、かさ張らずコンパクトにまとめられるという収納の利便性も提供する携帯用ベルトである。本考案はハードケースの装着に限定されるものではなく、カバン等に装着することも可能である。
【課題を解決するための手段】
【０００４】前記目的を達成するため、本考案は次の手段を講じた。本考案の携帯用ベルトは、長さを自在に調節できる持ち手の部分と、ハードケース本体の持ち手を固定する部分、及びハードケース本体を支える部分が一体となったものである。携帯用ベルト本体の材質は天然繊維、合成繊維、合成皮革などが可能である。本考案の持ち手部分には長さを調節出来るパーツがついている為、肩からかけたり、たすきがけをしたり、机の横にかけたり用途が使い分け出来る。
また、ハードケース本体の持ち手を固定する部分とハードケース本体を支える部分には、子供にも安全でかつ簡単に脱着できるマジックテープやゴムなどの伸縮自在の材質などを使用する。
マジックテープやゴムなどで固定することにより、多少形状の異なるハードケースにも取り付けが可能である。また、この携帯用ベルトはヒモ状のもので出来ている為、コンパクトに収納も出来る。
本考案はハードケースの装着に限定されるものではなく、かばん等に装着することも可能である。
ハードケースとは、あらゆるメーカーのハードケースを含むものとする。
【考案の効果】
【０００５】以上、説明したことから明らかなように、本考案に係る携帯用ベルトの使用により、より快適にハードケースの持ち運びが出来るようになる。
また、この携帯用ベルトの装着により、肩からぶらさげることが出来、子供の通学中などの荷物への負担が軽減され、より快適に歩行ができる。また、簡素な作りの為、コンパクトに収納でき、子供にも容易に脱着が可能である。
【考案を実施するための形態】
【０００６】以下、本考案の実施例を図面に基づき説明する。
【実施例１】
【０００７】図１は本考案に係る携帯用ベルトのハードケース１への一実施形態を示しており、ハードケース１にハードケース携帯用ベルト２が装着されている。【０００８】この携帯用ベルトは図２に示すような形状からなる。【０００９】図３はこの携帯用ベルトをハードケース１へ固定する為に取り付けた接着部分を外した展開図である。この携帯用ベルトは天然繊維、合成繊維、合成皮革などを使用し、ハードケース１の取っ手部分と携帯用ベルトを固定し装着できる。【００１０】図２、３で示した５の部分にはハードケースの取っ手の部分をしっかり包み込める幅と長さの布状のものにマジックテープ等の接着部分７を十分に設ける。【００１１】図２、３で示した４の部分にプラスチック等でできた既存の長さ調節のパーツを取り付けることにより、自在に長さの調節が出来る。【００１２】図２、３で示した６はゴムなどの伸縮自在の材質で輪状の部分を設け、ハードケース１の本体をくぐらせ、携帯用ベルトとハードケース本体をしっかりと固定することが出来る。【００１３】図４は携帯用ベルトの使用時の外観形状の１例を示す。
【図面の簡単な説明】
【００１４】
【図１】本考案に係る携帯用ベルトの１実施形態を示す側面図である。
【図２】本考案に係る携帯用ベルト（図１）を示す斜視分解図である。
【図３】図２に示した携帯用ベルトの展開内面図である。
【図４】図３の装着形状の１例である。
【符号の説明】
【００１５】１、ハードケース
２、携帯用ベルト
３、携帯用ベルト持ち手部分
４、携帯用ベルト持ち手部分長さ調節部分
５、携帯用ベルトとハードケース１本体の取っ手を固定する部分
６、携帯用ベルトとハードケース１本体を固定する部分
７、携帯用ベルトとハードケース１本体の取っ手を固定する接着部分
【図１】
0003171428.tif 000003
【図２】
0003171428.tif 000004
【図３】
0003171428.tif 000005
【図４】
0003171428.tif 000006
【手続補正書】
【提出日】平成23年3月22日(2011.3.22)
【手続補正１】
【補正対象書類名】実用新案登録請求の範囲
【補正対象項目名】全文
【補正方法】変更
【補正の内容】
【実用新案登録請求の範囲】
【請求項１】
持ち手部分、ハードケースの取っ手を固定する部分及び、ハードケース本体を固定する部分からなるハードケース用携帯ベルト
【請求項２】
持ち手部分に、長さ調節可能なパーツがあることを特徴とする請求項１記載のハードケース用携帯ベルト
【請求項３】
ハードケースの取っ手を固定する部分が、ハードケースを取り外し可能かつ固定出来る、マジックテープ（登録商標）のような素材であることを特徴とする請求項１記載のハードケース用携帯ベルト
【請求項４】
ハードケース本体を固定する部分が、ハードケースを取り外し可能かつ固定出来る、伸縮自在のゴムのような素材であることを特徴とする請求項１記載のハードケース用携帯ベルト
【手続補正２】
【補正対象書類名】明細書
【補正対象項目名】０００４
【補正方法】変更
【補正の内容】
【０００４】前記目的を達成するため、本考案は次の手段を講じた。本考案の携帯用ベルトは、長さを自在に調節できる持ち手の部分と、ハードケース本体の持ち手を固定する部分、及びハードケース本体を支える部分が一体となったものである。携帯用ベルト本体の材質は天然繊維、合成繊維、合成皮革などが可能である。本考案の持ち手部分には長さを調節出来るパーツがついている為、肩からかけたり、たすきがけをしたり、机の横にかけたり用途が使い分け出来る。
また、ハードケース本体の持ち手を固定する部分とハードケース本体を支える部分には、子供にも安全でかつ簡単に脱着できるマジックテープ（登録商標）やゴムなどの伸縮自在の材質などを使用する。
マジックテープ（登録商標）やゴムなどで固定することにより、多少形状の異なるハードケースにも取り付けが可能である。また、この携帯用ベルトはヒモ状のもので出来ている為、コンパクトに収納も出来る。本考案はハードケースの装着に限定されるものではなく、かばん等に装着することも可能である。ハードケースとは、あらゆるメーカーのハードケースを含むものとする。
【手続補正３】
【補正対象書類名】明細書
【補正対象項目名】００１０
【補正方法】変更
【補正の内容】
【００１０】図２、３で示した５の部分にはハードケースの取っ手の部分をしっかり包み込める幅と長さの布状のものにマジックテープ（登録商標）等の接着部分７を十分に設ける。
【手続補正書】
【提出日】平成23年6月13日(2011.6.13)
【手続補正１】
【補正対象書類名】実用新案登録請求の範囲
【補正対象項目名】全文
【補正方法】変更
【補正の内容】
【実用新案登録請求の範囲】
【請求項１】
肩からかけられる長さの持ち手部分の両端に、伸縮性のある太いゴムなどを輪状にしたものを付け、ハードケース本体をその輪にくぐらせて固定し、その持ち手部分とハードケース本体を固定する部分のつなぎ目２ヶ所を連結させた部分に、ハードケースの取っ手にくぐらせて取っ手を巻き込むことのできる幅と長さの、マジックテープ付きの布などをつけ、取っ手を固定する部分を設けたハードケース用携帯ベルト
【請求項３】
ハードケースの取っ手を固定する部分が、ハードケースを取り外し可能かつ固定出来る、マジックテープ（登録商標）であることを特徴とする請求項１記載のハードケース用携帯ベルト
【請求項４】
ハードケース本体を固定する部分が、ハードケースを取り外し可能かつ固定出来る、伸縮自在のゴムなどの素材であることを特徴とする請求項１記載のハードケース用携帯ベルト
【手続補正書】
【提出日】平成23年8月4日(2011.8.4)
【手続補正１】
【補正対象書類名】実用新案登録請求の範囲
【補正対象項目名】全文
【補正方法】変更
【補正の内容】
【実用新案登録請求の範囲】
【請求項１】
肩からかけられる長さの持ち手部分の両端に、伸縮性のある太いゴムなどを輪状にしたものを付け、ハードケース本体をその輪にくぐらせて固定し、その持ち手部分とハードケース本体を固定する部分のつなぎ目２ヶ所を連結させた部分に、ハードケースの取っ手にくぐらせて取っ手を巻き込むことのできる幅と長さの、マジックテープ付きの布などをつけ、取っ手を固定する部分を設けたハードケース用携帯ベルト
【請求項２】
持ち手部分に、長さ調節可能なパーツがあることを特徴とする請求項１記載のハードケース用携帯ベルト
【請求項３】
ハードケースの取っ手を固定する部分が、ハードケースを取り外し可能かつ固定出来る、マジックテープ（登録商標）であることを特徴とする請求項１記載のハードケース用携帯ベルト
【請求項４】
ハードケース本体を固定する部分が、ハードケースを取り外し可能かつ固定出来る、伸縮自在のゴムなどの素材であることを特徴とする請求項１記載のハードケース用携帯ベルト